(57)【特許請求の範囲】
【請求項１】
円形の露光開口を開閉するために往復作動する１枚構成の又は相対的に往復作動する２枚構成のシャッタ羽根と、前記シャッタ羽根を往復作動させるシャッタ駆動手段と、前記露光開口の面積を規制するために規制位置まで往復作動する１枚構成の又は相対的に往復作動する２枚構成の絞り羽根と、前記絞り羽根を往復作動させる絞り駆動手段と、前記絞り羽根によって変位され前記シャッタ羽根の作動軌跡内に進退し得るシャッタ規制手段とを備え、前記絞り羽根が前記露光開口の規制位置にあるとき、前記シャッタ羽根は、前記露光開口の全開前に前記シャッタ規制手段に当接し、その開き作動を阻止されるようにしたことを特徴とするカメラ用シャッタ。
【請求項２】
前記シャッタ規制手段が、前記絞り羽根に設けられていることを特徴とする請求項１に記載のカメラ用シャッタ。
【請求項３】
前記シャッタ規制手段が、前記絞り羽根を介して作動する部材に設けられていることを特徴とする請求項１に記載のカメラ用シャッタ。
【請求項４】
前記絞り羽根が、前記露光開口よりも小さな円形の開口部を有する１枚構成の絞り羽根であって、前記シャッタ羽根が相対的に往復作動する２枚構成のシャッタ羽根であり、その絞り羽根が前記露光開口の規制位置にあるとき、一方のシャッタ羽根が前記シャッタ規制手段に当接するようにしたことを特徴とする請求項１乃至３の何れかに記載のカメラ用シャッタ。
【発明の詳細な説明】
【０００１】
【発明の属する技術分野】
本発明は、撮影に際して、円形の露光開口を、シャッタ羽根の往復作動によって開閉するようにした一般にレンズシャッタと称されているカメラ用シャッタに関するものであり、特にシャッタ羽根のほかに絞り羽根を備えていて、絞り羽根が露光開口の面積を規制した場合には、それに応じてシャッタ羽根の作動ストロークも好適に規制されるようにしたカメラ用シャッタに関する。
【０００２】
【従来の技術】
シャッタ羽根と絞り羽根とが夫々の駆動手段によって独立して機能するように構成されているカメラ用シャッタにおいては、シャッタ羽根が、絞り開口を開いた直後に閉鎖できるようにすると、大きな露光値（以下、高速という）での撮影が可能になって好ましい。そして、そのような機能を有する機構としては、設定された絞り開口に応じて、シャッタ羽根の開き作動の開始位置を変え、シャッタ羽根の全体の作動ストロークは変えないが、その開始位置からピンホールまでのストロークを変えるようにしたものが、古くから知られている。しかしながら、そのような構成は、撮影前に、作動開始位置からピンホールまでのストロークを大きくしても、露光開口を覆っているようにしなければならないことから、シャッタ羽根の面積を必要以上に大きくしなければならず、高速を得るためには決して有利とは言えない。そのため、今日では全く採用されていない。
【０００３】
また、絞り羽根のほかに開き用のシャッタ羽根と閉じ用のシャッタ羽根を設け、設定された絞り開口を、開き用のシャッタ羽根が開いた直後に、閉じ用のシャッタ羽根が閉鎖するようにすることも考えられるが、そのように構成した場合には、シャッタ羽根が２組必要になってしまい、且つその２組のシャッタ羽根を一つのシャッタ室に収容させるわけにもいかないので、絞り羽根の駆動手段も含めて三つの駆動手段との連結構成が複雑になり、コンパクト化が難しいばかりでなく、組立調整や修理が難しい構成になってしまう。そこで、第３の方法として、シャッタ羽根の開き作動のストロークを、設定された絞り開口に対応させて制限してしまうようにすることが考えられる。しかし、そのような構成にする場合にも、コンパクト化でき、確実に制御できる構成にすることは、そう簡単なことではない。
【０００４】
【発明が解決しようとする課題】
シャッタ羽根の開き作動のストロークを制限できるようにするためには、先ず駆動手段の駆動量を直接制限させるようにすることが考えられる。しかし、モータの回転や、強力な駆動ばねによって駆動される部材の回転を、絞り開口に対応した回転位置で直接停止させるようにすることは至難である。そのため、次に、駆動手段とシャッタ羽根との間に仲介部材（一般に、開閉部材と称されているものなど）を設け、その仲介部材の作動を、絞り開口に対応した位置にセットされた規制手段（可動ストッパ）に当接させ、停止させるようにすることが考えられる。しかし、そのようにした場合には、その仲介部材とシャッタ羽根との連結部（通常、ピンと長孔による嵌合部）に公差が設けられているため、仲介部材が例え直ちに停止しても、シャッタ羽根は直ちに停止できず、大きく揺動を繰り返すことになる。そのため、シャッタ羽根の停止時機が遅れ、また、その停止位置も安定しない。
【０００５】
本発明は、このような問題点を解決するためになされたものであり、その目的とするところは、絞り羽根自身に規制手段を設けるか、又は絞り羽根によって動かされ絞り羽根の位置に対応して安定した位置を得ることができる部材に規制手段を設けることにより、シャッタ羽根の開き作動において、シャッタ羽根自身をその規制手段に直接当接させることによって、シャッタ羽根の開き作動を、絞り開口に応じた位置で好適に停止させることができるようにしたカメラ用シャッタを提供することである。
【０００６】
【課題を解決するための手段】
上記の目的を達成するために、本発明のカメラ用シャッタは、円形の露光開口を開閉するために往復作動する１枚構成の又は相対的に往復作動する２枚構成のシャッタ羽根と、前記シャッタ羽根を往復作動させるシャッタ駆動手段と、前記露光開口の面積を規制するために規制位置まで往復作動する１枚構成の又は相対的に往復作動する２枚構成の絞り羽根と、前記絞り羽根を往復作動させる絞り駆動手段と、前記絞り羽根によって変位され前記シャッタ羽根の作動軌跡内に進退し得るシャッタ規制手段とを備え、前記絞り羽根が前記露光開口の規制位置にあるとき、前記シャッタ羽根は、前記露光開口の全開前に前記シャッタ規制手段に当接し、その開き作動を阻止されるようにする。
また、本発明のカメラ用シャッタにおいては、前記シャッタ規制手段が、前記絞り羽根に設けられているようにすると好適である。
又は、前記シャッタ規制手段が、前記絞り羽根を介して作動する部材に設けられているようにすると好適である。
また、本発明のカメラ用シャッタにおいては、前記絞り羽根が、前記露光開口よりも小さな円形の開口部を有する１枚構成の絞り羽根であって、前記シャッタ羽根が相対的に往復作動する２枚構成のシャッタ羽根であり、その絞り羽根が前記露光開口の規制位置にあるとき、一方のシャッタ羽根が前記シャッタ規制手段に当接するようにすると好適である。
【０００７】
【発明の実施の形態】
本発明の実施の形態を、図示した二つの実施例によって説明する。図面は、図１〜図６が第１実施例を示し、図７〜図１０が第２実施例を示したものであるが、図６のタイミングチャートは第２実施例にも適用可能なものである。尚、第１実施例と第２実施例を構成する部材のうち、同一の部材及び同一の部位には同じ符号を付けている。
【０００８】
〔第１実施例〕
先ず、図１〜図５に示した第１実施例の構成から説明する。尚、図１は本実施例の非撮影時の状態を示した平面図であって、シャッタ地板の表面側に取り付けられた構成部品を透視的に示したものであり、図２は主にモータの構成を理解し易くするための断面図である。また、図３は図１の状態からシャッタ羽根を作動させ、露光開口を全開にした状態を示す平面図である。更に、図４は図１の状態から絞り羽根を作動させ、絞り開口部を露光開口に臨ませた状態を示す平面図であり、図５は図４の状態からシャッタ羽根を作動させ、絞り開口部を全開にした状態を示す平面図である。
【０００９】
最初に、本実施例の全体構成の骨格について説明しておく。シャッタ地板１と補助地板２は合成樹脂製であって、両者は、補助地板２に形成された可撓性を有する三つのフック部２ａ，２ａ，２ａをシャッタ地板１の窪みに係合させて、相互に取り付けられている。また、シャッタ地板１と補助地板２の間には図示していない適宜な方法で仕切り板３が取り付けられていて、シャッタ地板１と仕切り板３の間にはシャッタ室が、補助地板２と仕切り板３の間には絞り室が形成されている。
【００１０】
更に、シャッタ地板１には、シャッタ駆動用のモータＭ１が、シャッタ地板１に形成された二つのフック部１ａ，１ａによって取り付けられ、絞り駆動用のモータＭ２が、同じく二つのフック部１ｂ，１ｂによって取り付けられている。また、シャッタ地板１と補助地板２には円形の開口部１ｃ，２ｂが形成されており、それらのうち直径の小さい方が露光開口の大きさを規制することになるが、本実施例においては、これらの開口部１ｃ，２ｂは、同心円の同じ直径ということにしておく。そして、このようなユニットは、補助地板２を対物レンズ側にしてカメラに組み込まれることになる。
【００１１】
次に、シャッタ駆動用のモータＭ１と絞り駆動用のモータＭ２の構成を説明する。これらのモータＭ１，Ｍ２は、ムービングマグネット型モータと称されていて、少なくともカメラ業界では周知であり、永久磁石製の回転子は、固定子のコイルに対して正方向に通電すると正方向へ、逆方向へ通電すると逆方向へ、いずれも所定の角度だけ回転するモータである。また、本実施例においては、これらのモータＭ１，Ｍ２は全く同じ構成をしているので、それらを構成している部材，部位には同じ符号を付け、主に図２を参照しながらシャッタ駆動用のモータＭ１の構成を中心にして説明する。
【００１２】
このモータＭ１の回転子４は径方向に着磁された２極の永久磁石製であって、それと一体的に回転する駆動ピン５を有している。そして、モータＭ１の駆動ピン５は、シャッタ地板１，仕切り板３，補助地板２に形成されている長孔１ｄ，３ａ，２ｃを貫通している。また、モータＭ２の駆動ピン５も、同様にしてシャッタ地板１，仕切り板３，補助地板２に形成された長孔を貫通しているが、シャッタ地板１に形成された長孔１ｅのみが図１をはじめとする他の平面図に示されている。
【００１３】
この回転子４は、固定子を構成する上枠６と下枠７に軸受けされており、その上枠６と下枠７の周りには、それらに外壁面に形成されている凹部内において、回転子４の軸受部を包むようにしてコイル８が巻回されており、また、上枠６の周りには円筒形のヨーク９が取り付けられている。更に、図１に示すように、上枠６には、回転子４の周面に対向する所定の位置に、磁性体棒１０が取り付けられている。この磁性体棒１０は、コイル８の非通電状態において、回転子４の位置を安定化させるためのものであって、その作用については後述の説明によって理解することができる。
【００１４】
次に、主に図１を用いてシャッタ羽根と絞り羽根の構成について説明する。先ず、本実施例におけるシャッタ羽根は、相対的に作動する２枚構成のシャッタ羽根であって、それらのシャッタ羽根１１，１２は、シャッタ地板１と仕切り板３の間に形成されたシャッタ室内において、シャッタ地板１に設けられた軸１ｆ，１ｇに枢着され、また、それらに形成されている長孔１１ａ，１２ａには、上記したモータＭ１の駆動ピン５が嵌合されている。
【００１５】
また、図１は、コイル８の非通電状態を示しているが、このとき回転子４は、そのＳ極と磁性体棒１０との配置関係によって、時計方向への回転力が付与されている。そのため、駆動ピン５は、シャッタ羽根１１を時計方向へ回転させ、またシャッタ羽根１２を反時計方向へ回転させようとしている。しかし、シャッタ羽根１１が、シャッタ地板１に設けられたストッパ１ｈに接触しているので、その回転が阻止され、シャッタ羽根１１，１２による開口部１ｃ，２ｂ（露光開口）の閉鎖状態が安定して保たれるようになっている。尚、シャッタ室内には、シャッタ地板１に設けられたもう一つのストッパ１ｉがあるが、これは、開口部１ｃ，２ｂを全開にした後、シャッタ羽根１２が当接するストッパである。
【００１６】
他方、本実施例における絞り羽根は、１枚構成の絞り羽根１３であって、仕切り板３と補助地板２の間に形成された絞り室に配置されている。この絞り羽根１３は、絞り室内まで伸長したシャッタ地板１の軸１ｊに枢着され、開口部１ｃ，２ｂよりも小さな円形の開口部１３ａと、シャッタ室まで伸長させた折曲状の規制部１３ｂと、溝１３ｃとを有し、その溝１３ｃには上記したモータＭ２の駆動ピン５を嵌合させている。図１は、モータＭ２のコイル８に通電していない状態を示しているが、既にモータＭ１の場合で説明したように、このとき回転子４は、時計方向へ回転力が付与されているが、絞り羽根１３がシャッタ地板１に設けられたストッパ１ｋに接触し、その回転を阻止されている。
【００１７】
次に、本実施例の作動を説明する。図１は、本実施例の非撮影時の状態を示しており、二つのモータＭ１，Ｍ２のコイル８，８には通電されていないが、上記した理由によって、カメラをどのような姿勢にしても、シャッタ羽根１１，１２は開口部１ｃ，２ｂの閉鎖状態を保ち、絞り羽根１３は開口部１ｃ，２ｂから退避した状態を保つようになっている。そこで、このような状態からの作動を、図１のほか図３〜図６も用いて説明する。
【００１８】
先ず、絞り羽根１３の開口部１３ａによって露光開口の面積を規制せずに撮影を行う場合について説明する。図６においては、その場合を実線で表している。図１から分かるように、非撮影時の状態においては、絞り羽根１３は、開口部１ｃ，２ｂから退避していて、ストッパ１ｋに接触しているので、この場合には、絞り駆動用モータＭ２には、通電を行わない。従って、最初からシャッタ駆動用モータＭ１のコイル８に通電することになる。
【００１９】
そこで、図１の状態において、シャッタ駆動用モータＭ１のコイル８に正方向の通電を行うと、回転子４は反時計方向へ回転を開始する。このとき、シャッタ羽根１１，１２の長孔１１ａ，１２ａに対する駆動ピン５の嵌合には若干の公差があるため、シャッタ羽根１１，１２は、駆動ピン５（即ち、回転子４）の作動よりも若干遅れて開き作動を開始することになる。そして、シャッタ羽根１１は、軸１ｆで反時計方向に回転し、また、シャッタ羽根１２は、軸１ｇで時計方向に回転して、両者の重なりを減じつつ開口部１ｃ，２ｂを開いて行き、全開後に、シャッタ羽根１２がストッパ１ｉに当接することによって、シャッタ羽根１１，１２の開き作動が停止する。その状態が図３に示されている。
【００２０】
シャッタ駆動用モータＭ１の構成次第では、この状態においてコイル８への通電を断っても全開状態を保たせておけるようにすることが可能であるが、本実施例においては全開状態を保たせるために通電を続けることになる。そして、所定の時間が経過すると、制御回路からの信号によって、コイル８に対し逆方向への通電が行われる。そのため、回転子４は時計方向へ回転するが、上記した理由と同じ理由によって、その逆通電の開始よりも若干遅れ、シャッタ羽根１１，１２は駆動ピン５に押されて閉じ作動を開始する。そして、開口部１ｃ，２ｂを閉じた後、シャッタ羽根１１がストッパ１ｈに当接することによって、シャッタ羽根１１，１２の閉じ作動が停止する。その後、シャッタ駆動用モータＭ１のコイル８に対する通電を断った状態が、図１に示された状態である。
【００２１】
次に、露光開口の面積を、絞り羽根１３の開口部１３ａによって規制しておいてから撮影を行う場合について説明する。図６においては、その場合を点線で表している。そこで、先ず最初に、絞り駆動用モータＭ２のコイル８に正方向の通電を行う。そのため、モータＭ２の回転子４は図１において反時計方向へ回転し、駆動ピン５によって、絞り羽根１３を軸１ｊで反時計方向へ回転させる。そして、この絞り羽根１３の回転は、ストッパ１ｈに当接することによって停止する。その状態が図４に示されている。そして、この状態においては、絞り羽根１３の開口部１３ａが、開口部１ｃ，２ｂと同心的に配置され、露光開口の面積を所定の領域に規制し得るようになっており、また、規制部１３ｂが、シャッタ羽根１１の作動軌跡内に臨まされている。更に、この状態が得られた後も、モータＭ２のコイル８には、正方向への通電が続けられている。
【００２２】
その後、シャッタ駆動用モータＭ１のコイル８に対し正方向の通電が行われると、既に説明したようにして、回転子４は反時計方向へ回転し、駆動ピン５によってシャッタ羽根１１，１２に開き作動を行わせる。そして、このシャッタ羽根１１，１２の開き作動は、絞り羽根１３の開口部１３ａを全開にした段階で、シャッタ羽根１１が規制部１３ｂに当接することによって停止する。このとき、本実施例においては、一方のシャッタ羽根１１のみが規制部１３ｂに当接するように構成されているので、その当接直後においては、シャッタ羽根１１，１２の相対的な作動関係が崩れることになる。従って、長孔１１ａ，１２ａと駆動ピン５との嵌合部において、シャッタ羽根１１，１２は、駆動ピン５に対して異なる方向から力を加えることになるため、両者の力が相殺され、大きなバウンドを生じることなく、スムーズに停止する。その停止状態が図５に示されている。
【００２３】
本実施例においては、この状態を長く続けてからシャッタ羽根１１，１２に閉じ作動を行わせるようにすることも可能であるが、上記のように開口部１３ａを全開した直後にシャッタ羽根１１，１２をスムーズに停止させることができるため、その停止後、直ちにシャッタ羽根１１，１２に閉じ作動を行わせることが可能となり、シャッタの高速制御が可能になっている。図６には、そのようにして制御される場合が示されている。
【００２４】
即ち、シャッタ羽根１１，１２の開き作動が停止すると、直ちに、シャッタ駆動用モータＭ１のコイル８に逆方向への通電が行われる。そのため、その逆通電の開始時機より若干遅れて、シャッタ羽根１１，１２が閉じ作動を開始する。そして、開口部１３ａを閉じた後、シャッタ羽根１１がストッパ１ｈに当接し、閉じ作動が停止する。従って、その後、直ちにモータＭ１のコイル８に対する通電を断つようにしてもよいが、本実施例においては、その前に絞り駆動用モータＭ２のコイル８に逆方向の通電を行って回転子４を時計方向へ回転させ、駆動ピン５によって絞り羽根１３を図１の状態に復帰させておいてから断つようにし、シャッタ羽根１１，１２の閉鎖状態が、絞り羽根１３の復帰時の振動によって影響を受けないようにしている。
【００２５】
〔第２実施例〕
次に、図７〜図１０に示された第２実施例について説明する。尚、図７は本実施例の非撮影時の状態を示した平面図であって、シャッタ地板の表面側に取り付けられた構成部品を透視的に示したものであり、図８は本実施例の構成を理解し易くするための断面図である。また、図９は図７の状態からシャッタ羽根を作動させ、露光開口を全開にした状態を示す平面図である。更に、図１０は図７の状態から絞り羽根を作動させ、絞り開口部を露光開口に臨ませた後、シャッタ羽根を作動させ、絞り開口部を全開にした状態を示す平面図である。
【００２６】
また、本実施例の構成は、第１実施例の構成に対して、新たにシャッタ規制部材１４と、その規制部材１４に回転力を付勢するばね１５を設けたことと、それに伴っって一部の部材の形状が変わっただけであり、殆どの構成は第１実施例の場合と同じである。そのため、同じ部材，同じ部位には同じ符号を付けて説明を省略し、異なる構成についてのみ説明する。
【００２７】
本実施例においては、シャッタ地板１に、新たに長孔１ｍ，１ｎが形成され、且つ軸１ｐ，ばね掛け１ｑが設けられている。また、補助地板２にも、長孔１ｍと同じ形状の長孔２ｄが形成されている。そして、軸１ｐの先端には、可撓性を有する二つのフック部１ｐ1 ，１ｐ2 が形成されており、シャッタ規制部材１４が、そのフック部１ｐ1 ，１ｐ2 を撓ませることによって、軸１ｐに回転可能に取り付けられている。シャッタ規制部材１４には、ピン１４ａ，規制部１４ｂ，ばね掛け１４ｃが設けられていて、ピン１４ａは長孔１ｍ，２ｄに挿入され、規制部１４ｂは長孔１ｎに挿入されている。
【００２８】
また、ばね１５は軸１ｐに巻回されていて、その一端をばね掛け１ｑに、他端をばね掛け１４ｃに掛けている。そのため、シャッタ規制部材１４は、ばね１５によって反時計方向へ回転するように付勢されており、ピン１４ａは常に絞り羽根１３と接触するようになっている。また、シャッタ規制部材１４が、ばね１５の付勢力に抗して時計方向へ回転された場合には、規制部１４ｂをシャッタ羽根１１の作動軌跡内に臨ませるようになっている。尚、本実施例の絞り羽根１３には、第１実施例において設けられていた規制部１３ｂが設けられていない。
【００２９】
次に、本実施例の作動を説明するが、第１実施例の説明と重複し、詳しく説明をするまでもないところについては、簡略化して説明する。また、上記したように、図６は本実施例の作動説明にも適用されるものである。図７は、本実施例の非撮影時の状態を示している。そのため、図１に示した第１実施例の場合と同様に、二つのモータＭ１，Ｍ２のコイル８，８には通電されていないが、カメラをどのような姿勢にしても、シャッタ羽根１１，１２は開口部１ｃ，２ｂの閉鎖状態を保ち、絞り羽根１３は開口部１ｃ，２ｂから退避した状態を保つようになっている。尚、本実施例の場合は、絞り羽根１３がシャッタ規制部材１４のピン１４ａによって時計方向へ回転するように押されているので、この状態における絞り羽根１３の位置は、第１実施例の場合よりも安定している。
【００３０】
そこで、先ず、絞り羽根１３の開口部１３ａによって露光開口の面積を規制せずに撮影を行う場合について説明する。本実施例においても、上記したように非撮影時の状態においては、絞り羽根１３が、開口部１ｃ，２ｂから退避していて、ストッパ１ｋに接触した状態になっている。そして、シャッタ規制部材１４の規制部１４ｂはシャッタ羽根１１の作動軌跡外に逃げている。そのため、絞り駆動用モータＭ２には通電を行わず、最初からシャッタ駆動用モータＭ１のコイル８に通電し、シャッタ羽根１１，１２に開閉作動を行わせるだけである。従って、その開閉作動は、第１実施例の場合と全く同じであり、図６において実線で表したように作動するだけであるから、シャッタ羽根１１，１２による開口部１ｃ，２ｂの全開状態を図９に示し、詳しい説明を省略する。
【００３１】
次に、露光開口の面積を、絞り羽根１３の開口部１３ａによって規制しておいてから撮影を行う場合について説明する。本実施例の場合にも、その作動を行うときは、図６に点線で表わされたようにして行われる。従って、先ず、絞り駆動用モータＭ２のコイル８に正方向への通電を行う。それによって、モータＭ２の回転子４は図７において反時計方向へ回転するが、その回転は、絞り羽根１３がストッパ１ｈに当接することによって停止する。また、この反時計方向への回転に際し、絞り羽根１３がピン１４ａを押すので、シャッタ規制部材１４は、ばね１５の付勢力に抗して時計方向へ回転され、規制部１４ｂをシャッタ羽根１１の作動軌跡内に臨ませる。そして、この絞り羽根１３の停止状態においては、開口部１３ａが開口部１ｃ，２ｂと同心的に配置されており、また、この状態が得られた後も、モータＭ２のコイル８には、正方向への通電が続けられている。
【００３２】
その後、シャッタ駆動用モータＭ１のコイル８に対し正方向の通電が行われると、第１実施例において既に説明したように、回転子４は反時計方向へ回転し、駆動ピン５によってシャッタ羽根１１，１２に開き作動を行わせる。そして、この開き作動は、絞り羽根１３の開口部１３ａを全開にした段階で、シャッタ羽根１１がシャッタ規制部材１４の規制部１４ｂに当接することによって停止する。このとき、ばね１５の付勢力に加えてシャッタ規制部材１４を反時計方向へ回転させる力が、シャッタ羽根１１によって加えられるが、モータＭ２によって絞り羽根１３に与えられている反時計方向への回転力が大きいため、絞り羽根１３が動かされてしまうようなことはない。また、本実施例においても、一方のシャッタ羽根１１のみが規制部１４ｂに当接するので、シャッタ羽根１１，１２のバウンドを最小限に抑えて、スムーズに停止する。その停止状態が図１０に示されている。
【００３３】
本実施例においても、このように開口部１３ａを全開した直後にシャッタ羽根１１，１２をスムーズに停止させることができるから、その停止後、直ちにシャッタ羽根１１，１２に閉じ作動を行わせることが可能である。そのため、シャッタ羽根１１，１２の開き作動が停止した段階で、直ちに、シャッタ駆動用モータＭ１のコイル８に逆方向への通電が行われると、その通電開始時機よりも若干遅れて、シャッタ羽根１１，１２が閉じ作動を開始する。そして、開口部１３ａを閉じ、シャッタ羽根１１がストッパ１ｈに当接することによって閉じ作動が停止する。その後、絞り駆動用モータＭ２のコイル８に逆方向の通電を行い、絞り羽根１３を図７の状態に復帰させておいてからシャッタ駆動用モータＭ１のコイル８に対する通電を断ち、当初の状態に復帰する。
【００３４】
尚、上記の各実施例においては、いずれもシャッタ羽根の構成を、お互いに逆方向へ相対的に往復作動する２枚構成のシャッタ羽根としたが、本発明は周知のような１枚構成のシャッタ羽根であっても差し支えない。また、上記の各実施例においては、いずれも絞り羽根を１枚構成にしているが、それを各実施例におけるシャッタ羽根のように相対的に往復作動する２枚構成にし、その一方によってシャッタ羽根に対する規制部の位置が決定するようにしても差し支えない。更に、上記の各実施例においては、シャッタ羽根と絞り羽根を、ムービングマグネット型モータによって駆動しているが、本発明の駆動手段はこの種のモータに限定されるものではないし、また、モータに限定されるものでもない。
【００３５】
【発明の効果】
以上のように、本発明によれば、絞り開口に対応させてシャッタ羽根の開き作動のストロークを変えるために、絞り羽根自身に規制手段を設けるか、又は絞り羽根によって動かされ絞り羽根の位置に対応して安定した位置を得ることができる部材に規制手段を設け、シャッタ羽根の開き作動時に、シャッタ羽根自身をその規制手段に直接当接させるようにしたから、シャッタ羽根が所定の位置で好適に停止し、閉じ作動を迅速に行わせることが可能になる。また、構成が簡単であることから、製作時に行われる、絞り羽根とシャッタ羽根の位置調整も容易となる。
【図面の簡単な説明】
【図１】第１実施例の非撮影時の状態を示した平面図であって、シャッタ地板の表面側に取り付けられた構成部品を透視的に示したものである。
【図２】主にモータの構成を理解し易くするために示した第１実施例の断面図である。
【図３】図１の状態からシャッタ羽根を作動させ、露光開口を全開にした状態を示す平面図である。
【図４】図１の状態から絞り羽根を作動させ、絞り開口部を露光開口に臨ませた状態を示す平面図である。
【図５】図４の状態からシャッタ羽根を作動させ、絞り開口部を全開にした状態を示す平面図である。
【図６】第１実施例の作動を説明するためのタイミングチャートである。
【図７】第２実施例の非撮影時の状態を示した平面図であって、シャッタ地板の表面側に取り付けられた構成部品を透視的に示したものである。
【図８】第２実施例の構成を理解し易くするために示した断面図である。
【図９】図７の状態からシャッタ羽根を作動させ、露光開口を全開にした状態を示す平面図である。
【図１０】図７の状態から絞り開口部を露光開口に臨ませた後、シャッタ羽根を作動させ、絞り開口部を全開にした状態を示す平面図である。
【符号の説明】
Ｍ１                          シャッタ駆動用モータ
Ｍ２                          絞り駆動用モータ
１                            シャッタ地板
１ａ，１ｂ，１ｐ1 ，１ｐ2 , ２ａ  フック部
１ｃ，２ｂ，１３ａ            開口部
１ｄ，１ｅ，１ｍ，１ｎ，２ｃ，２ｄ，３ａ，１１ａ，１２ａ  長孔
１ｆ，１ｇ，１ｊ，１ｐ        軸
１ｈ，１ｉ，１ｋ              ストッパ
１ｑ，１４ｃ                  ばね掛け
２                            補助地板
３                            仕切り板
４                            回転子
５                            駆動ピン
６                            上枠
７                            下枠
８                            コイル
９                            ヨーク
１０                          磁性体棒
１１，１２                    シャッタ羽根
１３                          絞り羽根
１３ｂ，１４ｂ                規制部
１３ｃ                        溝
１４                          シャッタ規制部材
１４ａ                        ピン
１５                          ばね
【図１】
0003977506.tif 000002
【図２】
0003977506.tif 000003
【図３】
0003977506.tif 000004
【図４】
0003977506.tif 000005
【図５】
0003977506.tif 000006
【図６】
0003977506.tif 000007
【図７】
0003977506.tif 000008
【図８】
0003977506.tif 000009
【図９】
0003977506.tif 000010
【図１０】
0003977506.tif 000011